【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、
前記ネットワークに送信可能かつ前記ネットワークから受信可能な第２のネットワーク信号を少なくとも受信する第２の通信手段と、
前記第１または第２のネットワーク信号から一方のネットワーク信号を選択する選択手段と、
制御手段と、を有し、
前記第１の通信手段は、前記第１のネットワーク信号の接続を確認する第１の接続確認手段を有し、
前記第２の通信手段は、前記第２のネットワーク信号の接続を確認する第２の接続確認手段を有し、
前記制御手段は、
前記第１のネットワーク信号と前記第２のネットワーク信号のうち予め設定されたネットワーク信号を前記一方のネットワーク信号として前記選択手段に選択させ、
前記第１または第２の確認手段により前記予め設定されたネットワーク信号の接続が確認された場合には、前記予め設定されたネットワーク信号の通信を行い、
前記予め設定されたネットワーク信号の接続が確認されない場合は、前記予め設定されたネットワーク信号を変更するか否かの指示を受信する受信動作、または、警告操作を行うことを特徴とする通信装置。
【請求項２】
前記制御手段は、さらに、前記第１および第２のネットワーク信号のいずれでも前記一方のネットワーク信号として前記選択手段に選択させることが可能な第１の選択モードを設定可能であり、
前記第１の選択モードにおいては、前記第１および第２のネットワーク信号のうち前記第１および第２の接続確認手段によって先に接続が確認されたネットワーク信号を前記一方のネットワーク信号として前記選択手段に選択させ、選択された前記一方のネットワーク信号の通信を行うことを特徴とする請求項１に記載の通信装置。
【請求項３】
前記複数の信号は非ネットワーク信号を含み、
前記制御手段は、前記選択手段に前記第２のネットワーク信号を選択させた場合に、前記第１の通信手段に前記非ネットワーク信号の送受信を可能とさせることを特徴とする請求項１または２に記載の通信装置。
【請求項４】
前記制御手段は、前記選択手段に前記第１のネットワーク信号を選択させた場合に、前記第２の通信手段の前記第２のネットワーク信号の送受信を停止させることを特徴とする請求項３に記載の通信装置。
【請求項５】
前記第１の通信手段はＨＤＢａｓｅＴ信号を送受信可能であり、前記第２の通信手段はＥｔｈｅｒｎｅｔ信号を送受信可能であることを特徴とする請求項１から４のいずれか一項に記載の通信装置。
【請求項６】
前記第２の通信手段は、前記第２の信号を含む規格が異なる複数の信号を多重化した第２の信号を受信し、前記第２の信号から前記第２のネットワーク信号を分離し、
前記第２の接続確認手段は、前記第２の通信手段に対する前記第２の信号に含まれる前記第２のネットワーク信号の接続を確認することを特徴とする請求項１から５のいずれか一項に記載の通信装置。
【請求項７】
前記第１および第２の通信手段はそれぞれ、ＨＤＢａｓｅＴ信号を送受信可能であることを特徴とする請求項６に記載の通信装置。
【請求項８】
前記複数の信号は非ネットワーク信号を含み、
前記制御手段は、前記選択手段に前記予め設定されたネットワーク信号として前記第１のネットワーク信号を選択させ、前記第１の接続確認手段により前記第１のネットワーク信号の接続が確認されない場合、前記選択手段に前記第２のネットワーク信号を選択させ、前記第２のネットワーク信号の接続が確認されたとき、前記第１の通信手段に前記非ネットワーク信号の送受信を可能とするとともに、前記第２のネットワーク信号の通信を行うことを特徴とする請求項３に記載の通信装置。
【請求項９】
前記第１のネットワーク信号と前記第２のネットワーク信号のうち予め設定されたネットワーク信号を前記一方のネットワーク信号として前記選択手段に選択させるモードまたは前記第１の選択モードを選択する操作を可能とする操作手段における前記操作の情報を前記制御手段に送信する第３の通信手段をさらに有することを特徴とする請求項２から８のいずれか一項に記載の通信装置。
【請求項１０】
前記制御手段は、前記選択手段により選択された前記一方のネットワーク信号の通信が行われた後に、該一方のネットワーク信号の接続が確認されなくなった場合に、前記第１および第２の通信手段のうち少なくとも一方を初期状態に戻すことを特徴とする請求項１から９のいずれか一項に記載の通信装置。
【請求項１１】
前記第１の通信手段に接続される外部機器は、前記複数の信号の接続を確認する機能を有し、
前記制御手段は、前記外部機器による前記接続の確認結果と前記第１および第２の接続確認手段による前記確認結果とに応じた情報を表示手段に表示させることを特徴とする請求項１から１０のいずれか一項に記載の通信装置。
【請求項１２】
請求項１から１１のいずれか一項に記載の通信装置と、
前記通信装置が受信した前記一方のネットワーク信号に応じた画像を表示する表示手段とを有することを特徴とする画像表示装置。
【請求項１３】
規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、
前記ネットワークに送信可能かつ前記ネットワークから受信可能な第２のネットワーク信号を少なくとも受信する第２の通信手段と、
前記第１または第２のネットワーク信号から一方のネットワーク信号を選択する選択手段と、を有する通信装置のコンピュータに、
前記第１のネットワーク信号の接続を確認させ、
前記第２のネットワーク信号の接続を確認させ、
前記第１のネットワーク信号と前記第２のネットワーク信号のうち予め設定されたネットワーク信号を前記一方のネットワーク信号として選択させ、
前記予め設定されたネットワーク信号の接続が確認された場合には、前記予め設定されたネットワーク信号の通信を行わせ、
前記予め設定されたネットワーク信号の接続が確認されない場合は、前記予め設定されたネットワーク信号を変更するか否かの指示を受信する受信動作、または、警告操作を行わせることを特徴とする通信制御プログラム。
【手続補正２】
【補正対象書類名】明細書
【補正対象項目名】００１０
【補正方法】変更
【補正の内容】
【００１０】
本発明の一側面としての通信装置は、規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、前記ネットワークに送信可能かつ前記ネットワークから受信可能な第２のネットワーク信号を少なくとも受信する第２の通信手段と、前記第１または第２のネットワーク信号から一方のネットワーク信号を選択する選択手段と、制御手段と、を有し、前記第１の通信手段は、前記第１のネットワーク信号の接続を確認する第１の接続確認手段を有し、前記第２の通信手段は、前記第２のネットワーク信号の接続を確認する第２の接続確認手段を有し、前記制御手段は、前記第１のネットワーク信号と前記第２のネットワーク信号のうち予め設定されたネットワーク信号を前記一方のネットワーク信号として前記選択手段に選択させ、前記第１または第２の確認手段により前記予め設定されたネットワーク信号の接続が確認された場合には、前記予め設定されたネットワーク信号の通信を行い、前記予め設定されたネットワーク信号の接続が確認されない場合は、前記予め設定されたネットワーク信号を変更するか否かの指示を受信する受信動作、または、警告操作を行うことを特徴とする。
【手続補正３】
【補正対象書類名】明細書
【補正対象項目名】００１２
【補正方法】変更
【補正の内容】
【００１２】
また、本発明の他の一側面としての通信制御プログラムは、規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、前記ネットワークに送信可能かつ前記ネットワークから受信可能な第２のネットワーク信号を少なくとも受信する第２の通信手段と、前記第１または第２のネットワーク信号から一方のネットワーク信号を選択する選択手段と、を有する通信装置のコンピュータに、前記第１のネットワーク信号の接続を確認させ、前記第２のネットワーク信号の接続を確認させ、前記第１のネットワーク信号と前記第２のネットワーク信号のうち予め設定されたネットワーク信号を前記一方のネットワーク信号として選択させ、前記予め設定されたネットワーク信号の接続が確認された場合には、前記予め設定されたネットワーク信号の通信を行わせ、前記予め設定されたネットワーク信号の接続が確認されない場合は、前記予め設定されたネットワーク信号を変更するか否かの指示を受信する受信動作、または、警告操作を行わせることを特徴とする。